(57)【要約】【課題】運転者が意図するターンシグナルランプの点滅ができるようにするターンシグナル制御装置を提供すること。【解決手段】車速検出部３０と、ハンドル操舵角検出部４０と、可動接点２５が右側ハーフ位置接点２２あるいは左側ハーフ位置接点２４に操作されるとターンシグナルランプ６０を所定回数点滅させることを指示する指示信号を出力するターンスイッチ２０と、ターンシグナルランプの点滅及び消灯を制御する制御装置１０とを備え、制御装置１０は、ターンスイッチ２０から所定回数点滅させることを指示する指示信号が出力されると、ターンシグナルランプ６０を所定回数点滅させると共に、ターンシグナルランプ６０を所定回数点滅させている間に、車速が遅くなった場合及び操舵角が大きくなった場合の少なくとも一方である場合は、ターンシグナルランプ６０の点滅を継続させる。【選択図】図２
2009067155.tif 000002
【特許請求の範囲】
【請求項１】
車両の車速を検出する車速検出部と、
前記車両のハンドル操舵角を検出するハンドル操舵角検出部と、
運転者によって操作されるものであり、所定位置に操作されるとターンシグナルランプを所定回数点滅させることを指示する指示信号を出力するターンスイッチと、
前記ターンシグナルランプの点滅及び消灯を制御する制御部と、
を備えるものであり、
前記制御部は、前記ターンスイッチが前記所定位置に操作されて前記指示信号が出力されると、前記ターンシグナルランプを所定回数点滅させると共に、前記ターンシグナルランプを所定回数点滅させている間に、前記車速が遅くなった場合及び前記操舵角が大きくなった場合の少なくとも一方である場合は、前記ターンシグナルランプの点滅を継続させることを特徴とするターンシグナル制御装置。
【請求項２】
前記制御部は、前記ターンスイッチが前記所定位置に操作されて前記ターンシグナルランプの点滅を継続させている間に、前記車速が速くなった場合及び前記操舵角が小さくなった場合の少なくとも一方である場合は、前記ターンシグナルランプを消灯することを特徴とする請求項１に記載のターンシグナル制御装置。
【請求項３】
前記車両が存在する道路を認識する道路認識部を備えるものであって、前記制御部は、前記ターンスイッチが前記所定位置に操作されて前記ターンシグナルランプの点滅を継続させている間に、前記道路認識部にて前記車両が存在する道路が変更したと認識された場合は、前記ターンシグナルランプを消灯することを特徴とする請求項１に記載のターンシグナル制御装置。
【請求項４】
前記車両の現在位置を検出する現在位置検出部と、道路地図データを記憶する地図データ記憶部とを備えるものであって、前記制御部は、前記ターンスイッチが前記所定位置に操作されて前記ターンシグナルランプの点滅を継続させている間に、前記車両の現在位置と前記道路地図データとによって前記車両が右左折もしくは車線変更したと判定した場合は、前記ターンシグナルランプを消灯することを特徴とする請求項１に記載のターンシグナル制御装置。
【発明の詳細な説明】
【技術分野】
【０００１】
本発明は、車両のターンシグナル制御装置に関するものである。
【背景技術】
【０００２】
従来、車両に搭載されるターンシグナル制御装置の一例として特許文献１に示されるウィンカ制御装置があった。
【０００３】
特許文献１に示されるウィンカ制御装置は、制御装置、作動スイッチ（レバー、ターンスイッチ）、タイマ回路、車速センサ、出力回路、フラッシャ制御回路、ウィンカ（ターンシグナルランプ）などを備えるものである。
【０００４】
制御装置は、作動スイッチからパルス信号が入力された時に作動する。パルス信号は、レバーを一度、短時間判押し（以下、ハーフ位置操作とも称する）にすると発せられる。つまり、作動スイッチであるレバーを右接点或いは左接点に短時間、接触させるとパルス信号が発生される。
【０００５】
タイマ回路は、そのパルス信号を受けると、車速センサからの車速の検出信号に応じた設定時間の分だけ第一の信号を出力回路に対して出力する。
【０００６】
出力回路は、この第一の信号が出されている間、フラッシャ制御回路に第二の信号を出力して、ウィンカを点滅させ、第一の信号が出されなくなったらウィンカの点滅を停止させるものである。
【０００７】
また、特許文献１に示されるウィンカ制御装置は、レバーが全押し（以下、フル位置操作とも称する）されて連続的に信号が入力してきたときには、タイマ回路は第一の信号を出すことをせず、この信号はフラッシャ制御回路に入力して、信号が継続している間ウィンカを点滅させる。
【特許文献１】特開２００３−２９１７２０号公報
【発明の開示】
【発明が解決しようとする課題】
【０００８】
上述のように特許文献１に示されるウィンカ制御装置は、ターンスイッチがハーフ位置操作された場合、設定時間の分だけターンシグナルランプが点滅することとなる。したがって、ターンスイッチがハーフ位置操作された場合、運転者の意図に反してターンシグナルランプの点滅が停止（消灯）してしまう可能性がある。
【０００９】
本発明は、上記問題点に鑑みなされたものであり、運転者が意図するターンシグナルランプの点滅ができるようにするターンシグナル制御装置を提供することを目的とする。
【課題を解決するための手段】
【００１０】
上記目的を達成するために請求項１に記載のターンシグナル制御装置は、車両の車速を検出する車速検出部と、車両のハンドル操舵角を検出するハンドル操舵角検出部と、運転者によって操作されるものであり所定位置に操作されるとターンシグナルランプを所定回数点滅させることを指示する指示信号を出力するターンスイッチと、ターンシグナルランプの点滅及び消灯を制御する制御部とを備えるものであり、制御部は、ターンスイッチが所定位置に操作されて指示信号が出力されると、ターンシグナルランプを所定回数点滅させると共に、ターンシグナルランプを所定回数点滅させている間に、車速が遅くなった場合及び操舵角が大きくなった場合の少なくとも一方である場合は、ターンシグナルランプの点滅を継続させることを特徴とするものである。
【００１１】
通常、車両の運転者がターンシグナルランプを所定回数点滅させるのは、車両が右左折することや車線変更（合流も含む）することを周囲（対向車の運転者、後続車の運転者、歩行者など）に知らせるためである。そして、車両の運転者は、右左折する場合や車線変更する場合、ブレーキをかけるなどして車速を減速させるか、ハンドルを回すかの少なくとも一方の操作を行うものである。
【００１２】
従って、請求項１に示すように、ターンシグナルランプを所定回数点滅させる際に、車速が遅くなった場合及び操舵角が大きくなった場合の少なくとも一方である場合は、ターンシグナルランプの点滅を継続させることによって、運転者が意図するターンシグナルランプの点滅とすることができる。
【００１３】
また、請求項２に示すように、制御部は、ターンスイッチが所定位置に操作されてターンシグナルランプの点滅を継続させている間に、車速が速くなった場合及び操舵角が小さくなった場合の少なくとも一方である場合は、ターンシグナルランプを消灯するようにしてもよい。
【００１４】
通常、ターンシグナルランプの点滅を継続させている間に、車速が速くなった場合及び操舵角が小さくなった場合の少なくとも一方である場合は、右左折や車線変更が完了したとみなすことができる。したがって、請求項２に示すようにすることによって、適切にターンシグナルランプを消灯することができる。
【００１５】
また、請求項３に示すように、車両が存在する道路を認識する道路認識部を備えるものであって、制御部は、ターンスイッチが所定位置に操作されてターンシグナルランプの点滅を継続させている間に、道路認識部にて車両が存在する道路が変更したと認識された場合は、ターンシグナルランプを消灯するようにしてもよい。
【００１６】
このように、車両が存在する道路が変更したと認識された場合にターンシグナルランプを消灯することによって、適切にターンシグナルランプを消灯することができる。
【００１７】
また、請求項４に示すように、車両の現在位置を検出する現在位置検出部と、道路地図データを記憶する地図データ記憶部とを備えるものであって、制御部は、ターンスイッチが所定位置に操作されてターンシグナルランプの点滅を継続させている間に、車両の現在位置と道路地図データとによって車両が右左折もしくは車線変更したと判定した場合は、ターンシグナルランプを消灯するようにしてもよい。
【００１８】
このように、車両が右左折もしくは車線変更したと判定した場合にターンシグナルランプを消灯することによって、適切にターンシグナルランプを消灯することができる。
【発明を実施するための最良の形態】
【００１９】
以下、本発明の実施の形態を図に基づいて説明する。
【００２０】
図１は、本発明の実施の形態におけるターンシグナル制御装置の概略構成を示すブロック図である。図２は、本発明の実施の形態におけるターンシグナル制御装置の処理動作を示すタイムチャートである。図３は、本発明の実施の形態におけるターンシグナル制御装置の処理動作を示すフローチャートである。
【００２１】
図１に示すように、本実施の形態におけるターンシグナル制御装置は、制御装置１０、ターンスイッチ２０、車速検出部３０、ハンドル操舵角検出部４０、ターンシグナルランプ駆動部５０、ターンシグナルランプ６０などを備える。
【００２２】
制御装置１０は、通常のコンピュータとして構成されており、内部には周知のＣＰＵ、ＲＯＭ、ＲＡＭ、Ｉ／Ｏ及びこれらの構成を接続するバスライン（いずれも不図示）が備えられている。制御装置１０は、ターンスイッチ２０、車速検出部３０、ハンドル操舵角検出部４０、ターンシグナルランプ駆動部５０と接続されており、ターンスイッチ２０、車速検出部３０、ハンドル操舵角検出部４０から出力される信号を受けてターンシグナルランプ６０の点滅及び消灯を制御する制御信号をターンシグナルランプ駆動部５０に出力する。
【００２３】
ターンスイッチ２０は、右側フル位置接点２１、右側ハーフ位置接点２２（本発明における所定位置）、左側フル位置接点２３、左側ハーフ位置接点２４（本発明における所定位置）を含む固定接点と、車室内に設けられる操作レバーの動きに連動する可動接点２５などを備える。
【００２４】
可動接点２５は、運転者によって操作レバーが操作されていない場合、どの固定接点とも接触しない中立位置に保持される。そして、可動接点２５は、運転者によって操作レバーが右側のターンシグナルランプ６０の点滅を示す方向（例えば下方向）に操作されると右側フル位置接点２１または右側ハーフ位置接点２２に接触し、運転者によって操作レバーが左側のターンシグナルランプ６０の点滅を示す方向（例えば上方向）に操作されると左側フル位置接点２３または左側ハーフ位置接点２４に接触する。
【００２５】
また、ターンスイッチ２０は、運転者が操作レバーを操作することによって、可動接点２５が右側ハーフ位置接点２２または左側ハーフ位置接点２４に操作された場合、運転者が操作レバーを離すと可動接点２５を中立位置に戻すと共に、操作レバーを中立位置に対応する無操作位置に戻す機構（図示省略）を備えるものである。さらに、ターンスイッチ２０は、運転者が操作レバーを操作することによって、可動接点２５が右側フル位置接点２１または左側フル位置接点２３に操作された場合、運転者が操作レバーを離したとしても可動接点２５を右側フル位置接点２１または左側フル位置接点２３に保持すると共に、操作レバーを右側フル位置接点２１または左側フル位置接点２３に対応する固定位置に保持する機構（図示省略）を備えるものである。なお、可動接点２５及び操作レバーを保持する機構は、運転者によってハンドルが戻されるか、操作レバーが無操作位置側に操作されると、可動接点２５及び操作レバーの保持を解除するものである。
【００２６】
また、ターンスイッチ２０は、運転者が操作レバーを操作することによって、可動接点２５が右側ハーフ位置接点２２または左側ハーフ位置接点２４に操作されると（可動接点２５が右側ハーフ位置接点２２または左側ハーフ位置接点２４に接触すると）、ターンシグナルランプ６０を所定回数（本実施の形態では３回）点滅させることを指示する指示信号を制御装置１０に対して出力する。なお、右側ハーフ位置接点２２及び左側ハーフ位置接点２４をハーフ位置、可動接点２５が右側ハーフ位置接点２２または左側ハーフ位置接点２４に接触する位置に操作されることをハーフ位置操作とも称する。
【００２７】
一方、ターンスイッチ２０は、運転者が操作レバーを操作することによって、可動接点２５が右側フル位置接点２１または左側フル位置接点２３に操作されると（可動接点２５が右側フル位置接点２１または左側フル位置接点２３に接触すると）、その接触している間だけターンシグナルランプ６０の点滅を指示する指示信号を制御装置１０に対して出力する。換言すると、ターンスイッチ２０は、可動接点２５が右側フル位置接点２１または左側フル位置接点２３に操作されると、ターンシグナルランプ６０の継続的な点滅を示す指示信号を出力する。なお、右側フル位置接点２１及び左側フル位置接点２３をフル位置、可動接点２５が右側フル位置接点２１または左側フル位置接点２３に接触する位置に操作されることをフル位置操作とも称する。
【００２８】
車速検出部３０は、例えば、磁気センサなどを備え、自車両の走行速度に応じた信号を出力する。ハンドル操舵角検出部４０は、例えばポテンショメータなどを備え、運転者が操舵時に左右に回転操作するステアリングホイール（以下、ハンドルとも称する）の回転角度（以下、操舵角とも称す）に応じた信号を出力する。
【００２９】
ターンシグナルランプ駆動部５０は、制御装置１０からの制御信号を受けて、ターンシグナルランプ６０を点滅及び消灯駆動するものである。例えば、ターンシグナルランプ駆動部５０は、リレー回路などを備え、制御装置１０からの制御信号を受けて、ターンシグナルランプ６０への通電を一定間隔でオン・オフすることによって、ターンシグナルランプ６０を点滅駆動する。ターンシグナルランプ６０は、例えば、ＬＥＤランプからなる灯具であり、車体前部における左右及び側面、後部における左右及び側面に設けられる。
【００３０】
ここで、図２および図３を用いて、本実施の形態におけるターンシグナル制御装置の処理動作に関して説明する。なお、制御装置１０は、バッテリー（図示省略）から電源供給がなされると、図３のフローチャートに示される処理動作を実行するものである。
【００３１】
図３に示すステップＳ１０では、制御装置１０は、フル位置か否かを判定する。つまり、制御装置１０は、ターンスイッチ２０からの信号に基づいて、可動接点２５が右側フル位置接点２１又は左側フル位置接点２３にあるか否かを判定し、フル位置にあると判定した場合はステップＳ１１に進み、フル位置にないと判定した場合はステップＳ１３に進む。換言すると、制御装置１０は、ターンスイッチ２０からターンシグナルランプ６０の継続的な点滅を示す指示信号が出力されたか否かを判定するものである。
【００３２】
ステップＳ１１では、制御装置１０は、ターンシグナルランプ駆動部５０にターンシグナルランプ６０の点滅を指示する制御信号を出力することによって、ターンシグナルランプ６０を点滅させる。より具体的には、制御装置１０は、可動接点２５が接触している方（右側フル位置接点２１又は左側フル位置接点２３）に対応するターンシグナルランプ６０の点滅を指示する制御信号をターンシグナルランプ駆動部５０に出力する。
【００３３】
そして、ステップＳ１２では、制御装置１０は、可動接点２５が中立位置に戻ったか否かによって、ターンスイッチ２０がオフになったか否かを判定する。フル位置に保持された可動接点２５は、運転者によってハンドルが戻される（操舵角が小さくなる）か、操作レバーが無操作位置側に操作されると保持が解除されて中立位置に戻るものである。したがって、換言すると、制御装置１０は、運転者によってハンドルが戻されたか否か、操作レバーが無操作位置側に操作されたか否かを判定するものである。そして、ターンスイッチ２０がオフになったと判定した場合はステップＳ１９へ進み、ターンスイッチ２０がオフになってないと判定した場合はステップＳ１１へ戻る。つまり、可動接点２５がフル位置に操作された場合、制御装置１０は、ターンスイッチ２０がオフになるまで（運転者によってハンドルが戻されるか、操作レバーが無操作位置側に操作されるまで）ターンシグナルランプ６０の点滅を継続する。なお、ステップＳ１９では、制御装置１０は、ターンシグナルランプ駆動部５０にターンシグナルランプ６０の消灯を指示する制御信号を出力することによってターンシグナルランプ６０を消灯させる。
【００３４】
ステップＳ１３では、制御装置１０は、ハーフ位置か否かを判定する。つまり、制御装置１０は、ターンスイッチ２０からの信号に基づいて、可動接点２５が右側ハーフ位置接点２２又は左側ハーフ位置接点２４にあるか否かを判定し、ハーフ位置にあると判定した場合はステップＳ１４に進み、ハーフ位置にないと判定した場合は処理を終了する。換言すると、制御装置１０は、ターンスイッチ２０からターンシグナルランプ６０を所定回数（本実施の形態では３回）点滅させることを指示する指示信号が出力されたか否かを判定するものである。
【００３５】
ステップＳ１４では、制御装置１０は、ターンシグナルランプ駆動部５０にターンシグナルランプ６０の点滅を指示する制御信号を出力することによって、ターンシグナルランプ６０を点滅させる。より具体的には、制御装置１０は、可動接点２５が接触している方（右側ハーフ位置接点２２又は左側ハーフ位置接点２４）に対応するターンシグナルランプ６０の点滅を指示する制御信号をターンシグナルランプ駆動部５０に出力する。
【００３６】
ステップＳ１５では、制御装置１０は、車速検出部３０からの信号に基づいて車速が大から小（つまり、減速）になったか否か、あるいは、ハンドル操舵角検出部４０からの信号に基づいて操舵角が小から大（つまり、操舵角が大）になったか否かを判定する。そして、制御装置１０は、車速が大から小になったと判定した場合、あるいは、操舵角が小から大になったと判定した場合はステップＳ１７へ進み、そうでない場合はステップＳ１６へ進む。例えば、制御装置１０は、車速検出部３０からの信号、及びハンドル操舵角検出部４０からの信号を記憶しておき、その記憶した信号と車速検出部３０からの信号あるいはハンドル操舵角検出部４０からの信号とを比較することによって、車速が大から小であるか否か、操舵角が小から大であるか否かを判定することができる。
【００３７】
ステップＳ１６では、制御装置１０は、ターンシグナルランプ６０を所定回数点滅させたか否かを判定し、所定回数点滅させたと判定した場合はステップＳ１９へ進み、所定回数点滅させてないと判定した場合はステップＳ１４へ戻る。
【００３８】
一方、ステップＳ１７では、制御装置１０は、ターンシグナルランプ駆動部５０にターンシグナルランプ６０の点滅を指示する制御信号を出力し続けることによって、ターンシグナルランプ６０の点滅を継続させる。
【００３９】
つまり、制御装置１０は、図２に示すように、可動接点２５がハーフ位置に操作されて、ターンスイッチ２０からターンシグナルランプ６０を所定回数点滅させることを指示する指示信号が出力されると、ターンシグナルランプ６０を所定回数点滅させる。そして、制御装置１０は、その指示信号が出力されてからターンシグナルランプ６０を所定回数点滅させている間に、車速が大から小、あるいは、操舵角が小から大になると、ターンシグナルランプ６０の点滅を継続させるものである（図２の３以降）。一方、制御装置１０は、その指示信号が出力されてからターンシグナルランプ６０を所定回数点滅させている間に、車速が大から小、あるいは、操舵角が小から大にならなかった場合はターンシグナルランプ６０を所定回数点滅させて消灯するものである。なお、本実施の形態においては、車速が大から小、あるいは、操舵角が小から大になると、ターンシグナルランプ６０の点滅を継続させる例を用いて説明したが、本発明はこれに限定されるものではない。車速が大から小、かつ、操舵角が小から大になると、ターンシグナルランプ６０の点滅を継続させるようにしてもよい。
【００４０】
通常、車両の運転者がターンシグナルランプ６０を所定回数点滅させるのは、車両が右左折することや車線変更（合流も含む）することを周囲（対向車の運転者、後続車の運転者、歩行者など）に知らせるためである。換言すると、運転者は、右左折することや車線変更することを周囲に知らせることを意図してターンシグナルランプ６０を点滅させるものである。そして、車両の運転者は、右左折する場合や車線変更する場合、ブレーキをかけるなどして車速を減速させるか、ハンドルを回すかの少なくとも一方の操作を行う。
【００４１】
しかしながら、交通状況によっては、スムーズに右左折や車線変更ができないこともありうる。このような場合、ハーフ位置操作にすると、運転者がターンシグナルランプを点滅させて車両が右左折することや車線変更することを周囲に知らせようとしているにも係らず、右左折や車線変更が完了する前にターンシグナルランプ６０が消灯してしまう可能性がある。
【００４２】
また、運転者はフル位置操作したつもりであっても実際はハーフ位置操作がなされていることもありうる。また、上述のように本実施の形態におけるターンシグナル制御装置は、ハーフ位置操作であってもターンシグナルランプ６０が所定回数点滅するものである。したがって、運転者は、ハーフ位置操作をしているが、ターンシグナルランプ６０の点滅に同期した作動音によって、フル位置操作をしたと勘違いすることもありうる。このような場合、右左折や車線変更が完了する前にターンシグナルランプ６０が消灯してしまうと、運転者は、ターンシグナルランプ６０が点滅していると思い込んで車両を走行させてしまう可能性もありうる。
【００４３】
ところで、運転者は、ターンシグナルランプ６０を所定回数点滅させる際には、スムーズに右左折や車線変更ができた場合、スムーズに右左折や車線変更ができない場合、いずれの場合であっても、車速を減速させるか、ハンドルを回すかの少なくとも一方の操作を行うものである。そこで、上述のように、ターンシグナルランプ６０を所定回数点滅させる際に、車速が遅くなった場合及び操舵角が大きくなった場合の少なくとも一方である場合は、ターンシグナルランプの点滅を継続させることによって、運転者が意図するターンシグナルランプの点滅とすることができる。
【００４４】
つまり、ターンシグナルランプを所定回数点滅させる際に、車速が遅くなった場合及び操舵角が大きくなった場合の少なくとも一方である場合は、運転者の意図に反してターンシグナルランプの点滅が停止（消灯）することなく、ターンシグナルランプを点滅させることができる。換言すると、本実施の形態におけるターンシグナル制御装置は、ハーフ位置操作であっても、右左折や車線変更が完了するまでターンシグナルランプ６０の点滅を継続することができる。
【００４５】
そして、ステップＳ１８では、制御装置１０は、車速検出部３０からの信号に基づいて車速が小から大（つまり、加速）になったか否か、あるいは、ハンドル操舵角検出部４０からの信号に基づいて操舵角が大から小（つまり、操舵角が小）になったか否かを判定する。そして、制御装置１０は、車速が小から大になったと判定した場合、あるいは、操舵角が大から小になったと判定した場合はステップＳ１９へ進み、そうでない場合はステップＳ１７へ戻る。例えば、制御装置１０は、車速検出部３０からの信号、及びハンドル操舵角検出部４０からの信号を記憶しておき、その記憶した信号と車速検出部３０からの信号あるいはハンドル操舵角検出部４０からの信号とを比較することによって、車速が小から大であるか否か、操舵角が大から小であるか否かを判定することができる。なお、本実施の形態においては、車速が小から大、あるいは、操舵角が大から小になると、ターンシグナルランプ６０を消灯させる例を用いて説明したが、本発明はこれに限定されるものではない。車速が小から大、かつ、操舵角が大から小になると、ターンシグナルランプ６０を消灯させるようにしてもよい。
【００４６】
通常、ターンシグナルランプ６０の点滅を継続させている間に、車速が速くなった場合及び操舵角が小さくなった場合の少なくとも一方である場合は、右左折や車線変更が完了したとみなすことができる。したがって、このようにすることによって、適切にターンシグナルランプを消灯することができる。換言すると、ハーフ位置操作であっても、右左折や車線変更が完了するまで確実にターンシグナルランプ６０の点滅を継続することができる。
【００４７】
（変形例１）
また、変形例１として、上述の実施の形態に示されるターンシグナル制御装置に車両が存在する道路を認識する道路認識部を備えるようにしてもよい。この道路認識部としては、例えば、車両前方の路面を撮像するカメラ、カメラによって撮像された路面画像から白線画像を抽出する画像処理装置、自車両に対する白線画像の位置から車線を変更したか否かを検出する検出部などを備えるものである。
【００４８】
そして、制御装置１０は、可動接点２５がハーフ位置に操作されてターンシグナルランプ６０の点滅を継続させている間に、道路認識部からの検出結果に基づいて、車両が存在する道路が変更（車線変更）したと認識された場合は、ターンシグナルランプ６０を消灯するようにしてもよい。つまり、制御装置１０は、図３におけるステップＳ１７の後に、
道路認識部からの検出結果に基づいて、車両が車線変更したか否かを判定し、車線変更したと判定した場合はステップＳ１９へ進み、車線変更してないと判定した場合はステップＳ１７へ戻る。
【００４９】
このように、車両が存在する道路が変更したと認識された場合にターンシグナルランプ６０を消灯することによって、適切にターンシグナルランプ６０を消灯することができる。
【００５０】
（変形例２）
また、変形例２として、上述の実施の形態に示されるターンシグナル制御装置に車両の現在位置を検出する現在位置検出部と、道路地図データを記憶する地図データ記憶部とを備えるようにしてもよい。現在位置検出部としては、ナビゲーション装置に採用される位置検出装置、例えば、ＲＴＫ−ＧＰＳ（Real Time Kinematic GPS）方式を採用することができる。地図データ記憶部としては、ナビゲーション装置に採用される地図データ記憶装置などを採用することができる。
【００５１】
そして、制御装置１０は、可動接点２５がハーフ位置に操作されてターンシグナルランプ６０の点滅を継続させている間に、車両の現在位置と道路地図データとによって車両が右左折もしくは車線変更したと判定した場合は、ターンシグナルランプ６０を消灯するようにしてもよい。つまり、制御装置１０は、図３におけるステップＳ１７の後に、
現在位置検出部からの検出信号と、地図データ記憶部に記憶される道路地図データとに基づいて、車両が車線変更したか否か、もしくは右左折したか否かを判定し、車線変更したと判定した場合、もしくは右左折したと判定した場合はステップＳ１９へ進み、そうでないと判定した場合はステップＳ１７へ戻る。
【００５２】
このように、車両が右左折もしくは車線変更したと判定した場合にターンシグナルランプ６０を消灯することによって、適切にターンシグナルランプ６０を消灯することができる。
【図面の簡単な説明】
【００５３】
【図１】本発明の実施の形態におけるターンシグナル制御装置の概略構成を示すブロック図である。
【図２】本発明の実施の形態におけるターンシグナル制御装置の処理動作を示すタイムチャートである。
【図３】本発明の実施の形態におけるターンシグナル制御装置の処理動作を示すフローチャートである。
【符号の説明】
【００５４】
１０  制御装置、２０  ターンスイッチ、２１  右側フル位置接点、２２  右側ハーフ位置接点、２３  左側フル位置接点、２４  左側ハーフ位置接点、２５  可動接点、３０  車速検出部、４０  ハンドル操舵角検出部、５０  ターンシグナルランプ駆動部、６０  ターンシグナルランプ
【図１】
2009067155.tif 000003
【図２】
2009067155.tif 000004
【図３】
2009067155.tif 000005